(57)【要約】【課題】使用者が意識しなくても足の運動を容易に長時間でも行うことができ、足の血行が促進されて、運動不足やむくみ等も容易に解消することができる足の健康器具を提供する。【解決手段】床に設置される基台部１と、前記基台部１の端部に設けられた軸部２と、  前記軸部２に一端が枢着され、上面に足を載置可能な足載せ部３１が設けられた支持部３と、前記支持部３の下面に接触されると共に、前記軸部２を支点にして、前記支持部３を上下に振幅するように形成された回転ローラー４と、から構成されてなり、前記回転ローラー４の回転に応じて、前記支持部３が連続して上下方向に振幅されるようにしている。【選択図】図１
2011194051.tif 000002
【特許請求の範囲】
【請求項１】
床に設置される基台部と、
前記基台部の端部に設けられた軸部と、
前記軸部に一端が枢着され、上面に足を載置可能な足載せ部が設けられた支持部と、
前記支持部の下面に接触されると共に、前記軸部を支点にして、前記支持部を上下に振幅するように形成された回転ローラーと、から構成されてなり、
前記回転ローラーの回転に応じて、前記支持部が連続して上下方向に振幅されるようにしたことを特徴とする足の健康器具。
【請求項２】
足載せ部の一端には、踵又は爪先の位置を規制する規制部が設けられたことを特徴とする請求項１に記載の足の健康器具。
【発明の詳細な説明】
【技術分野】
【０００１】
本発明は、使用者が意識しなくても容易に足の運動を行うことができる足の健康器具に関する。
【背景技術】
【０００２】
立ち仕事やデスクワークなど、同じ体勢で長時間の作業を行っていると、足の血行が悪くなるために、むくみを生じることが知られている。
【０００３】
このようなむくみは、体質に影響されることもあるが、その原因の多くは、足の運動不足によるものと言われている。
【０００４】
特に、自動車や電車等で移動することの多い現代人にとっては、歩行する機会が減少しており、足の運動をすることは難しい環境下である。
【０００５】
そのため、ジョギングやウォーキング、水泳、山歩き等のようなスポーツを通じて、足の運動を行うことや、或いは、スポーツ施設での機械的トレーニングによって、上記スポーツに代えることも行われているが、これらの運動を日々行うことは、極めて困難である。
【０００６】
また、高齢者などには、歩行自体を行うことが困難な場合も多く、ウォーキング等のようなスポーツも困難が場合もある。
【０００７】
このような足の運動不足や血行を促進するために様々な健康器具が開発されている。
【０００８】
例えば、従来の足の健康器具としては、半円状の青竹が知られており、この青竹を床に設置して、その円弧側の外面を足裏で踏むことで、足の運動を行いながら血行を促進するものである。
【０００９】
また、傾斜された踏み板の上に爪先を上位にして足を載せることで、足のストレッチ、ツボ刺激、指先運動を行って、足の血行を促進するための足の健康器具も提案されている（例えば、特許文献１参照。）。
【００１０】
更には、マッサージ器に代表されるように、足の外部から押圧を与えたり、熱を与えることにより、足の血行を促進する機械も数多く市販されている。
【００１１】
このような従来の足の健康器具は、２つに大別することができる。
【００１２】
一つは、使用者自らが足の健康器具を使って、足の運動を行うものであり、例えば、前記青竹や特許文献１に記載された足の健康器具などが相当する。
【００１３】
他の一つは、使用者が意識しなくても、機械自体が足に負荷を与えるものであり、例えば、前記マッサージ器などが相当する。
【先行技術文献】
【特許文献】
【００１４】
【特許文献１】特開２００６−３０５２４９号公報
【発明の概要】
【発明が解決しようとする課題】
【００１５】
しかしながら、前者の足の健康器具（青竹等）では、使用者が意識的に自らの足の運動を行わなければならず、疲労を伴うために、長時間の運動を続けることは困難である。
【００１６】
しかも、前者の健康器具を使用するには、使用者が一々立ち上がって使用しなければならないので、当該健康器具の使用を習慣化させて長期間使用することは難しいという問題もある。
【００１７】
一方、後者の健康器具（マッサージ器）では、使用者が意識しなくても、機械的な動作によって、足に刺激が与えられるため、長時間使用することは可能である。
【００１８】
ここで、「使用者が意識しない」とは、使用者が自らの足を動かそうとしなくても機械的な動作によって、勝手に足が動かされるという意味である。
【００１９】
しかし、後者の健康器具は、足の表面側から空気圧による加圧、減圧を繰り返して、当該足の筋肉に緊張と緩和を繰り返し付与し、足のリラックス効果を促進するものである。
【００２０】
ここで、足の運動とは、足の筋肉を収縮させる動作を意味している。
【００２１】
すなわち、この種のマッサージ器は、使用者の足の表面に圧力を付与したり又は熱を付与するものであって、足の運動を行うものではない。
【００２２】
従って、後者のマッサージ器は、本発明の意図する足の健康器具とは、目的や作用効果が異なるものである。
【００２３】
而して、従来の足の健康器具では、使用者が意識的に足の運動をするものであるために、長時間の使用が困難であるうえ、使用に際して面倒であるために、長期間の使用が困難であるという問題があった。
【００２４】
本発明は、かかる課題を解決することを目的とし、使用者が意識しなくても足の運動を行うことができ、しかも、例えば椅子に座ったままでも簡単に使用することができる足の健康器具を提供する。
【課題を解決するための手段】
【００２５】
上記課題を解決するために、本発明の足の健康器具は、床に設置される基台部と、前記基台部の端部に設けられた軸部と、前記軸部に一端が枢着され、上面に足を載置可能な足載せ部が設けられた支持部と、前記支持部の下面に接触されると共に、前記軸部を支点にして、前記支持部を上下に振幅するように形成された回転ローラーと、から構成されてなり、前記回転ローラーの回転に応じて、前記支持部が連続して上下方向に振幅されるようにしている。
【００２６】
本発明は、人間の癖の一種である、いわゆる「貧乏揺すり」の動作を、機械的な動作によって行うようにしたものである。
【００２７】
すなわち、本発明は、使用者が、足の運動を意識しなくても、前記支持部の足載せ部に足を載せるだけで、当該支持部の振幅運動に伴って、足の運動を行うことができるものである。
【００２８】
そのため、本発明の健康器具によれば、使用者は、勝手に足の運動が行われるので、疲労を伴うことが少なく、足の運動を長時間に亘って行うことができる。
【００２９】
その結果、使用者は、足の運動によって血行が促進され、運動不足やむくみ等を解消することができる。
【００３０】
しかも、使用者は、足の運動を行うために一々立って行う必要がなく、例えば、椅子に座ったままの状態でも使用できるので、使用に際して煩わしさもなく、長期間に亘って足の運動を続けることができる。
【発明の効果】
【００３１】
本発明に係る足の健康器具によれば、使用者が意識しなくても足の運動を容易に長時間でも行うことができ、足の血行が促進されて、運動不足やむくみ等も容易に解消することができる。
【００３２】
また、例えば、椅子に座ったままでも簡単に足の運動ができるので、使用に際して煩わしさもなく、長期間に亘って足の運動を続けることができる。
【図面の簡単な説明】
【００３３】
【図１】本発明の一実施形態を模式的に表した足の健康器具Ａの全体図である。
【図２】図１の他の実施形態を模式的に表した足の健康器具Ａの全体図である。
【図３】（ａ）〜（ｄ）は、回転ローラーの他の実施形態を示す正面図である。
【発明を実施するための形態】
【００３４】
以下、本発明の一実施形態を図面に基いて説明する。
【００３５】
図１は、本発明の一実施形態を模式的に表した足の健康器具Ａの全体図である。
【００３６】
本実施形態の足の健康器具Ａは、床に設置される基台部１と、この基台部１の端部に設けられた軸部２と、この軸部２に一端が枢着され、上面に足を載置可能な足載せ部３１が設けられた支持部３と、この支持部３の下面に接触され、回転方向の外周面に凸部４１と凹部４２が交互に形成された回転ローラー４と、から構成されている。以下、各部材について説明する。
【００３７】
基台部１は、床などに安定して設置されるように底面が平坦に形成されている。
【００３８】
本実施形態の基台部１は、板状に形成されたものを示しているが、これは例示に過ぎず、要は、床などに安定して設置可能な形状であれば構わない。
【００３９】
基台部１の一端には、軸部２が設けられており、この軸部２に支持部３の一端が枢着されている。
【００４０】
この軸部２は、本実施形態に限定されず、当該軸部２を中心にして支持部３が回転されるように取り付ける構造のものであれば構わない。
【００４１】
支持部３は、板状に形成され、その上面に足を載置可能な足載せ部３１が設けられている。
【００４２】
また、足載せ部３１は、図例のような平坦面でも構わないが、例えば、足形のような凹みを形成しても構わない。
【００４３】
更に、足載せ部３１には、足裏のツボに対応する位置に、前記ツボを押圧するような突起（不図示）を複数突設しても良く、このような突起を突設すれば、足裏のツボを刺激しながら同時に足の運動もできるためより効果的である。
【００４４】
また、足載せ部３１の一端には、足Ｆの踵Ｆ１又は爪先Ｆ２の位置を規制する規制部５を設けている。
【００４５】
図１に示す規制部５は、足載せ部３１の軸部２側の端部に、当該足載せ部３１と直交する方向に板状体が突設され、この規制部５に足Ｆの踵Ｆ１を接合するだけで、足載せ部３１に載せられる足Ｆの踵Ｆ１位置を特定するようにしている。
【００４６】
この規制部５は、足Ｆの踵Ｆ１に接合されるので、当該踵Ｆ１の怪我を防止するために、例えば、ゴムや軟質樹脂のような柔軟な素材で形成するのが望ましい。
【００４７】
また、規制部５によって特定された足Ｆの踵Ｆ１位置は、支持部３の振幅によって軸部２側にズレて移動することも防止している。
【００４８】
只、支持部３の振幅によって踵Ｆ１位置が爪先Ｆ２側に移動されることに対しては規制されていないため、例えば、足Ｆの甲にベルト（不図示）等を巻廻することも考えられるが、図示の通り、支持部３は、踵Ｆ１位置よりも爪先Ｆ２位置が上位となるように傾斜されているので、前記ベルト等を設けなくても踵Ｆ１位置が爪先Ｆ２側に移動することを防止できる。
【００４９】
回転ローラー４は、軸部２と同方向に回転軸Ｏを備えた柱状に形成され、外周面が支持部３の下面に接触されるように、回転軸Ｏを中心にして回転可能にされている。
【００５０】
また、回転ローラー４の外周面には、回転方向に凸部４２と凹部４１が交互に形成されている。
【００５１】
そのため、駆動源（不図示）に連結された回転軸Ｏによって、回転ローラー４が回転されると、支持部３の下面は、凸部４１と凹部４２とが交互に接触され、詳しくは、支持部３は、回転軸Ｏ中心から凸部４１までの距離ｔ１と、回転軸Ｏ中心から凹部４２までの距離ｔ２との差である段差距離ｔを、上下方向（図中矢印に示す方向）に振幅するのである。
【００５２】
このように形成された本実施形態の足の健康器具Ａは、以下の要領で使用する。
【００５３】
先ず、使用者は、椅子などに腰掛けたうえで、当該使用者の足が対応する位置に、本実施形態の基台部１を設置する。
【００５４】
次に、使用者は、足の踵Ｆ１を規制部５に接合するようにして、足Ｆを足載せ部３１に載置する。
【００５５】
そして、回転ローラー４の駆動源（不図示）を駆動して、回転ローラー４を回転させると、当該回転ローラー４の回転に伴って、外周面の凸部４１及び凹部４２の段差距離ｔ分だけ支持部３が上下方向（図中矢印に示す方向）に連続して振幅される。
【００５６】
そのため、足載せ部３１に載置された使用者の足Ｆは、前記支持部３の振幅に伴って、踵Ｆ１を中心にして爪先Ｆ２が上下方向に繰り返し動かされる、いわゆる「貧乏ゆすり」と同様の動きを行うのである。
【００５７】
このように、本実施形態の足の健康器具Ａによれば、使用者が意識しなくても足Ｆの爪先Ｆ１が上下方向に動かされて足Ｆの運動を行うことができるので、足Ｆの血行が促進されて、運動不足やむくみ等も容易に解消することができる。
【００５８】
また、椅子に座ったままの姿勢でも簡単に足Ｆの運動ができるので、使用に際して煩わしさもなく、長期間に亘って足Ｆの運動を続けることができる。
【００５９】
図２は、図１の他の実施形態を模式的に表した足の健康器具Ａの全体図である。
【００６０】
ここで、図１と共通する部位には、同一の番号を付して、重複する説明については省略し、以下では、本実施形態の特徴についてのみ説明する。
【００６１】
本実施形態で示した足の健康器具Ａは、図１のものと同一のものであるが、足Ｆの載せ方が異なる点で相違するものである。
【００６２】
すなわち、図１においては、使用者は、足の踵Ｆ１を規制部５に接合する場合を説明したが、本実施形態では、足の爪先Ｆ２を規制部５に接合するようにして、足Ｆを足載せ部３１に載置する。
【００６３】
そして、前記同様、回転ローラー４の駆動源（不図示）を駆動して、回転ローラー４を回転させると、当該回転ローラー４の回転に伴って、外周面の凸部４１及び凹部４２の段差距離ｔ分だけ支持部３が上下方向（図中矢印に示す方向）に連続して振幅される。
【００６４】
そのため、足載せ部３１に載置された使用者の足Ｆは、前記支持部３の振幅に伴って、爪先Ｆ２を中心にして踵Ｆ１が上下方向に繰り返し動かされる、いわゆる「貧乏ゆすり」と同様の動きが行われるのである。
【００６５】
このように使用者は、足Ｆの踵Ｆ２を上下方向に運動させることで、前記同様の効果を得ることができる。
【００６６】
図３（ａ）〜（ｄ）は、回転ローラー４の他の実施形態を示す正面図である。
【００６７】
ここで、図１、図２と共通する部位には、同一の番号を付して、重複する説明については省略し、以下では、本実施形態の特徴についてのみ説明する。
【００６８】
前記の通り、支持部３が振幅する距離は、回転ローラー４の凸部４１と凹部４２との段差距離ｔによって特定される。
【００６９】
そのため、前記振幅の距離は、回転ローラー４の凸部４１と凹部４２との段差距離ｔを変えれば、容易に変更することができる。
【００７０】
例えば、図３（ａ）は、回転ローラー４の正面形状（断面形状）が、正三角形に形成されたものを示し、図３（ｂ）は、回転ローラー４の正面形状（断面形状）が、正方形に形成されたものを示し、図３（ｃ）は、回転ローラー４の正面形状（断面形状）が、正八角形に形成されたものを示している。
【００７１】
これら図３（ａ）〜（ｃ）に示すような回転ローラー４を取替え可能にしておけば、支持部３の振幅する段差距離ｔ（ｔ２−ｔ１）を容易に調節することができ、当該段差距離ｔ（ｔ２−ｔ１）が変更されることによって、足Ｆに負荷される足の運動量を容易に変更することもできる。
【００７２】
なお、回転ローラー４は、図３（ｄ）に示すように、円柱状に形成した回転ローラー４の回転軸Ｏを、当該回転ローラー４の中心と異なる位置に設けた、いわゆる偏心ローラーであっても前記同様の効果が得られることは勿論である。
【符号の説明】
【００７３】
Ａ    足の健康器具
１    基台部
２    軸部
３    支持部
３１    足載せ部
４    回転ローラー
５    規制部
【図１】
2011194051.tif 000003
【図２】
2011194051.tif 000004
【図３】
2011194051.tif 000005
【手続補正書】
【提出日】平成22年4月1日(2010.4.1)
【手続補正１】
【補正対象書類名】明細書
【補正対象項目名】００３３
【補正方法】変更
【補正の内容】
【００３３】
【図１】本発明の一実施形態を模式的に表した足の健康器具Ａの全体図である。
【図２】図１の他の実施形態を模式的に表した足の健康器具Ａの全体図である。
【図３】（ａ）〜（ｅ）は、回転ローラーの他の実施形態を示す正面図である。
【手続補正２】
【補正対象書類名】明細書
【補正対象項目名】００７２
【補正方法】変更
【補正の内容】
【００７２】
なお、回転ローラー４は、図３（ｄ）に示すように、円柱状に形成した回転ローラー４の回転軸Ｏを、当該回転ローラー４の中心と異なる位置に設けた、いわゆる偏心ローラーであっても前記同様の効果が得られることは勿論である。
更に、回転ローラー４は、図３（ｅ）に示すように、回転軸Ｏの回転運動を直線運動に変換させる、いわゆるクランク機構を用いて、支持部３を上下方向に振幅させることも可能である。
【手続補正３】
【補正対象書類名】図面
【補正対象項目名】図３
【補正方法】変更
【補正の内容】
【図３】
2011194051.tif 000006